(57)【要約】交換者が使い捨てオムツを包装体から取り出したときに折り畳まれた状態であっても、いずれか一方から見ただけで外側からイラストが明確に認知できるイラスト付使い捨てオムツが記載されている。イラストの効果を十分に発揮させることができる。
2004026205.tif 000002
【特許請求の範囲】
【請求項１】
イラスト表示部を備えるイラスト付使い捨てオムツであって、
前記イラスト表示部は、イラストを表示している複数のサブイラスト表示部からなり、前記サブイラスト表示部は、イラスト付使い捨てオムツに存在する複数の表示面にそれぞれ配置されていると共に、前記複数のサブイラスト表示部に表示されている各イラストのうち、外側から見える位置に配置されたイラストのいずれか一つが、小型バッグへの収納時及び／または販売時の折り畳み方によって折り畳まれた状態においても当該外側から見た状態で前記イラストの要部が視認されるものとなっているイラスト付使い捨てオムツ。
【請求項２】
イラスト表示部を備えるイラスト付使い捨てオムツであって、
前記イラスト表示部は、それぞれ異なるイラストを表示している複数のサブイラスト表示部からなり、前記サブイラスト表示部は、イラスト付使い捨てオムツに存在する複数の表示面にそれぞれ配置されていると共に、前記複数のサブイラスト表示部に表示されている各イラストのうち、小型バッグへの収納時及び／または販売時の折り畳み方によって折り畳まれた状態で外側から見える位置に配置されたイラストの少なくとも一つは、前記折り畳み方によっても分断されないように配置されているものであるイラスト付使い捨てオムツ。
【請求項３】
前記複数のサブイラスト表示部に表示されている各イラストのうち、小型バッグへの収納時及び／または販売時の折り畳み方によって折り畳まれた状態で、外側から見える位置に配置されたイラストのすべてが、前記折り畳み方によっても分断されないように配置されている請求項２に記載のイラスト付使い捨てオムツ。
【請求項４】
前記イラスト付使い捨てオムツが小型バッグへの収納時及び／または販売時の折り畳み方によって折り畳まれた状態で、外側から見える位置に配置された前記イラストが、折り畳まれた状態のイラスト付使い捨てオムツの外側の両面に存在するものである請求項１から３いずれか記載のイラスト付使い捨てオムツ。
【請求項５】
前記イラスト付使い捨てオムツの背側または腹側にイラストが配置されていて、前記イラスト付使い捨てオムツが小型バッグへの収納時及び／または販売時の折り畳み方によって折り畳まれた状態で、イラストが内側となる請求項１から４いずれか記載のイラスト付使い捨てオムツ。
【請求項６】
前記イラスト付使い捨てオムツが小型バッグへの収納時及び／または販売時の折り畳み方によって折り畳まれた状態で、外側から見て判る位置に配置されたイラストの絵柄が、折り畳まれた状態での外側のいずれかの面のみにて完結している請求項１から５いずれか記載のイラスト付使い捨てオムツ。
【請求項７】
前記イラスト付使い捨てオムツが小型バッグへの収納時及び／または販売時の折り畳み方によって折り畳まれた状態で、外側の両面に配置された各イラストがストーリー性をもっている請求項１から６いずれか記載のイラスト付使い捨てオムツ。
【請求項８】
前記イラスト付使い捨てオムツの外表面に廃棄処理のための手段が取り付けられており、前記イラスト付使い捨てオムツが小型バッグへの収納時及び／または販売時の折り畳み方によって、前記廃棄処理のための手段が隠れるように折り畳まれている請求項１から７いずれか記載のイラスト付使い捨てオムツ。
【請求項９】
前記廃棄処理のための手段が、イラスト付使い捨てオムツの折り目上に存在せず、かつ前記各イラストのいずれとも重ならない位置に配置されている請求項８記載のイラスト付使い捨てオムツ。
【請求項１０】
前記後処理のための手段は、折り畳まれたテープである請求項８または９記載のイラスト付使い捨てオムツ。
【請求項１１】
前記イラスト付使い捨てオムツは、パンツ型である請求項１から１０いずれか記載のイラスト付使い捨てオムツ。
【請求項１２】
前記イラスト付使い捨てオムツは、装着時に着用者の腹側に位置する腹側と、着用者の背側に位置する背側と、を有するイラスト付使い捨てオムツであって、腹側と背側の側面に一対のレッグ開口部と、腹側と背側の上面にウエスト開口部と、を設けた請求項１から１１いずれか記載のイラスト付使い捨てオムツ。
【請求項１３】
イラストを備えるイラスト付使い捨てオムツであって、前記イラスト付使い捨てオムツが折り目で折り畳まれており、前記イラストは実質的に前記折り目フリーであるイラスト付使い捨てオムツ。
【請求項１４】
前記イラストと前記折り目とが実質的に重なっていない請求項１３に記載のイラスト付き使い捨てオムツ。
【発明の詳細な説明】
【技術分野】  本発明は、イラスト付使い捨てオムツに関し、さらに詳しくは、折り畳まれたイラスト付使い捨てオムツに関する。
【背景技術】  従来の使い捨てオムツとしては、使い捨てオムツの腹側の左右両側縁と背側の左右両側縁とを接合固定するなどして、ひとつのウエスト開口部と左右一対のレッグ開口部を形成し、少なくとも股間部及びその近傍に吸収体を配置したものが知られている。最近では、母親等の感じる趣味感や意匠効果等を高めるために、比較的大きめな動物やアニメーションキャラクター等のイラスト等が、使い捨てオムツ、特に幼児用の使い捨てオムツの腹側及び／または背側等の外側に印刷されている。イラスト等を使い捨てオムツの外側に印刷することによって、使い捨てオムツの外観からイラスト等が判るようになる。さらに、このようなイラスト付使い捨てオムツには、その外面に、廃棄処理手段として、廃棄用の折り畳まれたテープが配置されている。また、このようなイラスト付使い捨てオムツは、一般的には、特に折り畳むなどされていないが、最近では、コンパクトに折り畳んで、携帯性を向上させたり、包装状態の見栄えを良くしかつ店頭での見栄えをよくするために、いくつかの折り方が提案されている（実開平７−２２２５６号公報及び特開２０００−１１６７０４号公報）。
しかしながら、イラスト付使い捨てオムツを着用させる交換者や着用者である幼児に対して、その努力の割には意外に受けが良くなく、その良さを十分にアピールするものではなかった。
【発明の開示】
本発明は以上のような課題に鑑みてなされたものであり、その目的は、イラストの効果を十分に発揮させることができるようなイラスト付使い捨てオムツを提供することにある。
以上のような課題を解決するために、本出願人らが鋭意調査を重ねたところ、オムツ交換時に幼児がいやがることが少なく、楽しく、オムツ交換を実施するためには、オムツ交換前からの交換者と幼児の相互関係が重要であることが見出された。
ここで、交換者と幼児の相互関係を保つには、互いの良好なコミュニケーションの成立がポイントとなり、イラスト付使い捨てオムツに表されたキャラクター等のイラストは、交換者が幼児とのコミュニケーションのきっかけとして利用することが多い。
図２Ａ及び図２Ｂは、従来のイラスト付使い捨てオムツを示す。折り目３１に沿った販売時の折り方で折り畳むと、イラストも一緒に折り畳まれ、分断される。そして、折り畳まれた後にイラスト付使い捨てオムツを一方向から見た場合、何のイラストが描かれているか判らず、イラスト付使い捨てオムツの意匠性が損なわれる。また、イラストが交換者と幼児のコミュニケーションのきっかけとならず、相互関係を保つ手段として役立たないものになる。また、テープ等のイラスト付使い捨てオムツの廃棄処理手段が、使い捨てオムツ外面のイラスト上あるいは、近傍にとりつけられていると、イラスト付使い捨てオムツの意匠性が損なわれる。更には、イラストが判り難くなり、相互関係にも影響を与える。
即ち、以上のような課題を解決するために、本発明のイラスト付使い捨てオムツにおいては、交換者がイラスト付使い捨てオムツを包装体から取り出したときに折り畳まれた状態であっても、一方から見ただけで外側からイラストが明確に認知できるように構成している。
これにより、包装体から取り出した直後の、折り畳まれた状態でのイラスト付使い捨てオムツの意匠性を高めること、及び幼児と交換者のイラストによるコミュニケーションを良好にし、かつコンパクトに折り畳まれたイラスト付使い捨てオムツとすることができる。
本発明は、このオムツ交換前からの相互関係に着目し、鋭意検討を実施した結果なされたものである。
より具体的には、本発明においては以下のようなものを提供する。
（１）  イラスト表示部を備えるイラスト付使い捨てオムツであって、前記イラスト表示部は、イラストを表示している複数のサブイラスト表示部からなり、前記サブイラスト表示部は、イラスト付使い捨てオムツに存在する複数の表示面にそれぞれ配置されていると共に、前記複数のサブイラスト表示部に表示されている各イラストのうち、外側から見える位置に配置されたイラストのいずれか一つが、小型バッグへの収納時及び／または販売時の折り畳み方によって折り畳まれた状態においても当該外側から見た状態で前記イラストの要部が視認されるものとなっているイラスト付使い捨てオムツ。
本発明のイラスト付使い捨てオムツによれば、イラスト付使い捨てオムツを包装体から取り出したときに折り畳まれた状態であっても、イラスト付使い捨てオムツに配置されたイラストの識別が可能となる。このイラストによって、幼児と交換者のイラストによるコミュニケーションを良好にし、オムツ交換時に幼児がいやがることが少なく、楽しく、オムツ交換を実施することができる。
ここで「イラストの要部が視認される」とは、イラストの内容を特徴づける、まとまりを有する部分（要部）が、折り畳まれた時にイラスト付使い捨てオムツの折り目によって分断されることなく表れていることをいう。したがって、イラスト付使い捨てオムツの折り畳み方によって、イラストの一部がイラスト付使い捨てオムツの他の面に表れたり、内側に隠れたりしても、その一部分の見かけ上の欠損が、イラストが何を表しているかを理解するのに支障なければ、イラストは識別可能といえる。例えば、釣り糸を垂れる釣り人のイラストがあった場合に、長く垂れ下がる釣り糸の途中でイラスト付使い捨てオムツが折り畳まれていたとしても、イラストが釣り糸を垂れる釣り人を表すものであることを理解するのに支障はないような場合である。
（２）  イラスト表示部を備えるイラスト付使い捨てオムツであって、前記イラスト表示部は、それぞれ異なるイラストを表示している複数のサブイラスト表示部からなり、前記サブイラスト表示部は、イラスト付使い捨てオムツに存在する複数の表示面にそれぞれ配置されていると共に、前記複数のサブイラスト表示部に表示されている各イラストのうち、小型バッグへの収納時及び／または販売時の折り畳み方によって折り畳まれた状態で、外側から見える位置に配置されたイラストの少なくとも一つは、前記折り畳み方によっても分断されないように配置されているものであるイラスト付使い捨てオムツ。
本発明によれば、イラスト付使い捨てオムツを包装体から取り出したときに折り畳まれた状態であっても、少なくとも一つのイラストは分断されずに表れているためイラストの識別が可能となる。これによって幼児と交換者のイラストによるコミュニケーションを良好にすることができる。
ここで「イラストが分断される」とは、例えば、イラストの一部が、イラスト付使い捨てオムツの折り畳み方によってある面と他の面に表れるようになる場合を言う。また、「イラストが分断される」とは、例えば、イラストの一部が、折り畳んだ内側に配置することによって、そのイラスト全体から見たときに欠落した状態となる場合を言う。
（３）  前記複数のサブイラスト表示部に表示されている各イラストのうち、小型バッグへの収納時及び／または販売時の折り畳み方によって折り畳まれた状態で、外側から見える位置に配置されたイラストのすべてが、前記折り畳み方によっても分断されないように配置されている（２）に記載のイラスト付使い捨てオムツ。
本発明によれば、折り畳まれた状態で、外側から見える位置に配置したすべてのイラストが分断されずに表れ、意匠性のより高いイラスト付使い捨てオムツを提供することができる。
（４）  前記イラスト付使い捨てオムツが小型バッグへの収納時及び／または販売時の折り畳み方によって折り畳まれた状態で、外側から見える位置に配置された前記イラストが、折り畳まれた状態のイラスト付使い捨てオムツの外側の両面に存在するものである（１）から（３）いずれか記載のイラスト付使い捨てオムツ。
本発明によれば、イラストが、折り畳んだ状態のイラスト付使い捨てオムツの両面に存在するので、イラスト付使い捨てオムツのどちらの面にイラストが表れているかを気にせずに、常にいずれかのイラストを見ることができる。また、イラスト付使い捨てオムツの両面にそれぞれ異なる内容のイラストを表示することにより、交換者は折り畳んだイラスト付使い捨てオムツの面をひっくり返して幼児に見せ、イラストの差異を楽しませることができる。これによって幼児と交換者のイラストによる更なるコミュニケーションを良好にすることができる。
（５）  前記イラスト付使い捨てオムツの背側または腹側にイラストが配置されていて、前記イラスト付使い捨てオムツが小型バッグへの収納時及び／または販売時の折り畳み方によって折り畳まれた状態で、イラストが内側となる（１）から（４）いずれか記載のイラスト付使い捨てオムツ。
本発明によれば、イラスト付使い捨てオムツを折り畳んだときに、内側にもイラストを配置している。背側及び腹側にイラストがある場合には、交換者はまずイラスト付使い捨てオムツの外側のイラストを幼児に見せ、その後、折り畳まれたイラスト付使い捨てオムツを開いて、内側に配置されたイラストを見せることができる。これによってイラストの変化を楽しませることができるだけでなく、折り畳まれたイラスト付使い捨てオムツを開いて、幼児に着用させる直前まで、良好なコミュニケーションを維持できる。
（６）  前記イラスト付使い捨てオムツが小型バッグへの収納時及び／または販売時の折り畳み方によって折り畳まれた状態で、外側から見て判る位置に配置されたイラストの絵柄が、折り畳まれた状態での外側のいずれかの面のみにて完結している（１）から（５）いずれか記載のイラスト付使い捨てオムツ。
（７）  前記イラスト付使い捨てオムツが小型バッグへの収納時及び／または販売時の折り畳み方によって折り畳まれた状態で、外側の両面に配置された各イラストがストーリー性をもっている（１）から（６）いずれか記載のイラスト付使い捨てオムツ。
本発明によれば、折り畳まれたイラスト付使い捨てオムツの両面に配置されたイラストがストーリー性を有しているので、イラスト付使い捨てオムツの交換者は折り畳まれた使い捨てオムツの面をひっくり返して幼児に見せ、物語の展開を伝えたり話し合ったりすることができる。知能が発達した段階にある月齢の幼児とも良好なコミュニケーションをとるきっかけとなる。
（８）  前記イラスト付使い捨てオムツの外表面に廃棄処理のための手段が取り付けられており、前記イラスト付使い捨てオムツが小型バッグへの収納時及び／または販売時の折り畳み方によって、前記廃棄処理のための手段が隠れるように折り畳まれている（１）から（７）いずれか記載のイラスト付使い捨てオムツ。
ここで「廃棄処理のための手段」とは、イラスト付使い捨てオムツを使用後、廃棄する際に丸めて留めるためのものである。「廃棄処理のための手段」が、イラスト付使い捨てオムツが折り畳まれた状態で隠れて見えないことによって、イラスト付使い捨てオムツの美観をより高めることができる。また、イラスト付使い捨てオムツを見るものの目をイラストにより集中させることができる。
（９）  前記廃棄処理のための手段が、イラスト付使い捨てオムツの折り目上に存在せず、かつ前記各イラストのいずれとも重ならない位置に配置されている（８）記載のイラスト付使い捨てオムツ。
（１０）  前記後処理のための手段は、折り畳まれたテープである（８）または（９）記載のイラスト付使い捨てオムツ。
（１１）  前記イラスト付使い捨てオムツは、パンツ型である（１）から（１０）いずれか記載のイラスト付使い捨てオムツ。
（１２）  前記イラスト付使い捨てオムツは、装着時に着用者の腹側に位置する腹側と、着用者の背側に位置する背側と、を有するイラスト付使い捨てオムツであって、腹側と背側の側面に一対のレッグ開口部と、腹側と背側の上面にウエスト開口部と、を設けた（１）から（１１）いずれか記載のイラスト付使い捨てオムツ。
（１３）  イラストを備えるイラスト付使い捨てオムツであって、前記イラスト付使い捨てオムツが折り目で折り畳まれており、前記イラストは実質的に前記折り目フリー（ｆｒｅｅ  ｏｆ  ｃｒｅａｓｅ）であるイラスト付使い捨てオムツ。
本発明によれば、使い捨てオムツが折り目で折り畳まれていても、イラストは折り目で分断されず、イラストをそのまま表示することができる。「イラストは実質的に折り目フリーである」とは、イラストには実質的に折り目がないことを意味する。また、「実質的に」とは、イラストには折り目が一切ない場合と、イラストの端に折り目がある場合であってイラストそのものを視認するのには問題がない場合とを含む概念である。
（１４）  前記イラストと前記折り目とが実質的に重なっていない（１３）に記載のイラスト付き使い捨てオムツ。
本発明によれば、使い捨てオムツが折り目で折り畳まれていても、イラストは折り目で分断されず、イラストをそのまま表示することができる。
【図面の簡単な説明】  図１は、本発明の実施形態に係るイラスト付使い捨てオムツの全体構成を示す斜視図である。
図２Ａは、従来のイラスト付使い捨てオムツを示す背面図である。
図２Ｂは、従来のイラスト付使い捨てオムツを折り目で折り畳んだ背面図である。
図３Ａは、本発明の一実施形態に係るイラスト付使い捨てオムツを示す正面図である。
図３Ｂは、本発明の一実施形態に係るイラスト付使い捨てオムツを示す背面図である。
図３Ｃは、本発明の一実施形態に係るイラスト付使い捨てオムツを示す平面図である。
図３Ｄは、本発明の一実施形態に係るイラスト付使い捨てオムツを折り目で折り畳んだ正面図である。
図３Ｅは、本発明の一実施形態に係るイラスト付使い捨てオムツを示す側面図である。
図３Ｆは、本発明の一実施形態に係るイラスト付使い捨てオムツを折り目で折り畳んだ正面図である。
図３Ｇは、本発明の一実施形態に係るイラスト付使い捨てオムツを折り目で折り畳んだ背面図である。
図３Ｈは、本発明の一実施形態に係るイラスト付使い捨てオムツを折り目で折り畳んだ側面図である。
図４Ａは、本発明の別の実施形態に係るイラスト付使い捨てオムツを示す正面図である。
図４Ｂは、本発明の別の実施形態に係るイラスト付使い捨てオムツを示す背面図である。
図４Ｃは、本発明の別の実施形態に係るイラスト付使い捨てオムツを示す平面図である。
図４Ｄは、本発明の別の実施形態に係るイラスト付使い捨てオムツを折り目で折り畳んだ正面図である。
図４Ｅは、本発明の別の実施形態に係るイラスト付使い捨てオムツを示す側面図である。
図４Ｆは、本発明の別の実施形態に係るイラスト付使い捨てオムツを折り目で折り畳んだ正面図である。
図４Ｇは、本発明の別の実施形態に係るイラスト付使い捨てオムツを折り目で折り畳んだ側面図である。
図５Ａは、本発明の更に別の実施形態に係るイラスト付使い捨てオムツを示す正面図である。
図５Ｂは、本発明の更に別の実施形態に係るイラスト付使い捨てオムツを示す背面図である。
図５Ｃは、本発明の更に別の実施形態に係るイラスト付使い捨てオムツを示す平面図である。
図５Ｄは、本発明の更に別の実施形態に係るイラスト付使い捨てオムツを折り目で折り畳んだ正面図である。
図５Ｅは、本発明の更に別の実施形態に係るイラスト付使い捨てオムツを示す側面図である。
図５Ｆは、本発明の更に別の実施形態に係るイラスト付使い捨てオムツを折り目で折り畳んだ正面図である。
図５Ｇは、本発明の更に別の実施形態に係るイラスト付使い捨てオムツを折り目で折り畳んだ側面図である。
図６Ａは、本発明の更に別の実施形態に係るイラスト付使い捨てオムツを示す正面図である。
図６Ｂは、本発明の更に別の実施形態に係るイラスト付使い捨てオムツを示す背面図である。
図６Ｃは、本発明の更に別の実施形態に係るイラスト付使い捨てオムツを示す平面図である。
図６Ｄは、本発明の更に別の実施形態に係るイラスト付使い捨てオムツを折り目で折り畳んだ正面図である。
図６Ｅは、本発明の更に別の実施形態に係るイラスト付使い捨てオムツを示す側面図である。
図６Ｆは、本発明の更に別の実施形態に係るイラスト付使い捨てオムツを折り目で折り畳んだ正面図である。
図６Ｇは、本発明の更に別の実施形態に係るイラスト付使い捨てオムツを折り目で折り畳んだ側面図である。
図７Ａは、本発明の更に別の実施形態に係るイラスト付使い捨てオムツを示す正面図である。
図７Ｂは、本発明の更に別の実施形態に係るイラスト付使い捨てオムツを示す背面図である。
図７Ｃは、本発明の更に別の実施形態に係るイラスト付使い捨てオムツを示す平面図である。
図７Ｄは、本発明の更に別の実施形態に係るイラスト付使い捨てオムツを折り目で折り畳んだ正面図である。
図７Ｅは、本発明の更に別の実施形態に係るイラスト付使い捨てオムツを折り目で折り畳んだ正面図である。
図８Ａは、本発明の更に別の実施形態に係るイラスト付使い捨てオムツを示す正面図である。
図８Ｂは、本発明の更に別の実施形態に係るイラスト付使い捨てオムツを示す背面図である。
図８Ｃは、本発明の更に別の実施形態に係るイラスト付使い捨てオムツを折り目で折り畳んだ正面図である。
図８Ｄは、本発明の更に別の実施形態に係るイラスト付使い捨てオムツを示す側面図である。
図８Ｅは、本発明の更に別の実施形態に係るイラスト付使い捨てオムツを折り目で折り畳んだ側面図である。
図９Ａは、本発明の更に別の実施形態に係るイラスト付使い捨てオムツを示す正面図である。
図９Ｂは、本発明の更に別の実施形態に係るイラスト付使い捨てオムツを示す背面図である。
図９Ｃは、本発明の更に別の実施形態に係るイラスト付使い捨てオムツを示す平面図である。
図９Ｄは、本発明の更に別の実施形態に係るイラスト付使い捨てオムツを折り目で折り畳んだ正面図である。
図９Ｅは、本発明の更に別の実施形態に係るイラスト付使い捨てオムツを示す側面図である。
図９Ｆは、本発明の更に別の実施形態に係るイラスト付使い捨てオムツを折り目で折り畳んだ正面図である。
図９Ｇは、本発明の更に別の実施形態に係るイラスト付使い捨てオムツを折り目で折り畳んだ背面図である。
図９Ｈは、本発明の更に別の実施形態に係るイラスト付使い捨てオムツを折り目で折り畳んだ側面図である。
図１０Ａは、本発明の更に別の実施形態に係るイラスト付使い捨てオムツを示す正面図である。
図１０Ｂは、本発明の更に別の実施形態に係るイラスト付使い捨てオムツを示す背面図である。
図１０Ｃは、本発明の更に別の実施形態に係るイラスト付使い捨てオムツを示す平面図である。
図１０Ｄは、本発明の更に別の実施形態に係るイラスト付使い捨てオムツを折り目で折り畳んだ正面図である。
図１０Ｅは、本発明の更に別の実施形態に係るイラスト付使い捨てオムツを示す側面図である。
図１０Ｆは、本発明の更に別の実施形態に係るイラスト付使い捨てオムツを折り目で折り畳んだ正面図である。
図１０Ｇは、本発明の更に別の実施形態に係るイラスト付使い捨てオムツを折り目で折り畳んだ背面図である。
図１０Ｈは、本発明の更に別の実施形態に係るイラスト付使い捨てオムツを折り目で折り畳んだ側面図である。
発明の好ましい形態
図１は、本発明に好適に用いる使い捨てオムツの一実施形態を示す斜視図である。もっとも、本発明に用いる使い捨てオムツの構成は特に限定されるものではない。
図１で示す使い捨てオムツ１は、ウエスト開口部２と一対のレッグ開口部３とを形成したアウター部４と、アウター部４の股間部及びその近傍に具備したインナー部とからなる。インナー部をアウター部４に固定して、使い捨てオムツ１を形成することができる。アウター部４とインナー部を組み立てる際には、ヒートシール、超音波シール、ホットメルト接着剤などを用いて接着することができる。
インナー部は、肌接触面に具備した、トップシート５と、トップシート５及びアウター部４で形成した内部に配置される吸収体とからなる。トップシートには、親水性の不織布や、開孔プラスチックなどの液透過性シートを用いる。ここでいう不織布は、スパンレース、スパンボンド、ニードルパンチ、メルトブローン、サーマルボンド、ケミカルボンド、エアースルーなどの製法で作ったものである。不織布の繊維には、ポリオレフィン系、ポリエステル系、ポリアミド系の繊維、または、ポリエチレン、ポリプロピレンやポリエステルで形成した、シースコア型複合繊維、または、サイドバイサイド型繊維を使うことができる。
吸収体は、親水性繊維と高吸収性ポリマーからなる。親水性繊維は、パルプ、レーヨン、アセテート、コットン等の吸収性繊維、熱可塑性合成樹脂繊維を親水化した繊維などを採用することができる。保持した体液を漏らさないために、プラスチックフィルムを具備することができる。
アウター部４は、耐液性、肌触りのよさ、通気性を両立させる為、一枚、または複数のシートから構成する。例えば、疎水性の不織布、不透水性のプラスチックフィルム、これらを貼り合わせたシートを用いることができる。上記プラスチックフィルムは、フィラーを混入した後、延伸することで、通気性、透湿性を高めることができる。
使い捨てオムツ１の胴回り部分８には、ウエスト開口部２に沿って、延びる弾性体９を複数設けている。さらに、レッグ開口部３に沿って、延びる弾性体１０を複数設けている。これら弾性体９、１０は、アウター部４を構成する複数のシートの間に設けても良く、挟み込んだ２枚のシートの間に弾性体が伸長した状態で、ホットメルトによって接合しても良い。
弾性体９、１０としては、天然ゴム、合成ゴム、熱可塑性合成樹脂からなるプラスチックシートが採用可能である。
アウター部の、腹側または背側で、外から確認できる位置には、特定の人物、動物、植物等のキャラクターからなるイラストが、少なくとも一つ以上含まれる。尚、本発明の使い捨てオムツへのイラスト表示は、使い捨てオムツの外側から見て識別可能であれば、インナー部及びアウター部のいずれの部材に配置してもよい。または、シートに直接印刷しても、若しくはあらかじめ印刷したシートを貼り付けても良い。例えば、インナー部側に配置する場合は、アウター部の外から透けて見えるように、最下層に印刷されたフィルムを貼り付けることができ、アウター部側に配置する場合は、アウター部の最外層不織布に直接印刷しても良いし、印刷したフィルムを貼り付けた上から不織布を被覆することによって、外側から透けて見えるようにすることもできる。
ここで、図２Ａ及び図２Ｂに、従来のイラスト付使い捨てオムツの構成を示す。図２Ａ及び図２Ｂは、イラスト付使い捨てオムツの背側を示す。図２Ａにおいては、イラスト付使い捨てオムツの背側ほぼ中央にキャラクターのイラストを配置している。
ここで、イラスト付使い捨てオムツは、流通・販売時には図２Ａのように広げたままではなく、図２Ｂのように折り畳んだ状態で包装体に詰められる。この場合に、イラスト付使い捨てオムツの中央に配置したイラストは、折り目３１に沿って分断され、その一部は折り畳んだイラスト付使い捨てオムツ外側の一方に表れ、他の一部は外側の他の一方に表れる。
したがって、交換者が包装体から取り出したイラスト付使い捨てオムツは折り畳んだ状態となっているが、交換者がこの折り畳んだイラスト付使い捨てオムツを一方の側からのみ見ただけでは、イラストに表現したキャラクターが何についてのものであるか識別できない。また、この折り畳まれた状態のイラスト付使い捨てオムツを着用者である幼児に見せても、イラストが何を表現したものであるかが判らないものとなっている。
図３Ａ〜図３Ｈは、本発明に係るイラスト付使い捨てオムツの一実施態様を示す。図３Ａにイラスト付使い捨てオムツの腹側を、図３Ｂにイラスト付使い捨てオムツの背側を示す。背側のサブイラスト表示部１４ａに配置したイラスト１４は、廃棄処理テープ１７と重ならない位置に配置している。また、イラストはイラスト付使い捨てオムツの背側のみならず、図３Ａに示すように、腹側のサブイラスト表示部１２ａ、１３ａにも配置されている。腹側のサブイラスト表示部１２ａ、１３ａに配置したイラスト１２、１３はウエスト開口部側と股間部側の２箇所に分かれて配置されている。イラスト１２とイラスト１３はそれぞれ同一キャラクターの異なる表情を表している。例えば、イラスト１２は「笑った顔」を、イラスト１３は「怒った顔」を、それぞれ表している。ここで、イラスト表示部は、サブイラスト表示部１２ａ、１３ａ、１４ａを含む。
このようなイラストを配置したイラスト付使い捨てオムツについては、小型バッグへの収納時及び／または販売時の折り畳み方として、図３Ｃ〜図３Ｅの場合が考えられる。まず、イラスト付使い捨てオムツの腹側及び背側の左右両側にあるサイドフラップ部を、図３Ａに示す折り目３２、３３に沿って内側に向けて折り畳む。図３Ｄはサイドフラップ部を折り畳んだ状態のイラスト付使い捨てオムツの腹側を示す。また、図３Ｃはこのイラスト付使い捨てオムツの平面図であり、ウエスト開口部２を示す。そして図３Ｅはこのイラスト付使い捨てオムツの側面を示す。
次に、イラスト付使い捨てオムツをさらに３つに、腹側が外側になるように、図３Ｄに示す折り目３４、３５に沿って折り畳んだ状態を図３Ｆ〜図３Ｈに示す。図３Ｆは折り畳んだ状態の外面を、図３Ｇは折り畳んだ状態の外面を、図３Ｈは折り畳んだ状態の側面を示す。二つの面のうち外面には、折り畳み前に腹側のウエスト開口部側に配置したイラスト１２が分断されない状態で表示され、外面にも、股間部側に配置したイラスト１３が分断されない状態で表示される。
イラスト付使い捨てオムツの腹側に配置したイラスト１２、１３は、イラスト付使い捨てオムツが折り畳まれるときに、その折り目３２、３３、３４、３５に重ならない位置に配置される。
図３Ｆ及び図３Ｇに示される実施形態のイラスト付使い捨てオムツは、折り畳んだ状態で、外側のどちらの面にも完全独立した形でイラスト１２、１３を表示することとなる。そのため、図３Ｆ及び図３Ｇに示すように、折り畳んだ状態においても、イラスト１２、１３の要部を視認できる。
このイラスト付使い捨てオムツによって、交換者は着用対象者である幼児に対してイラスト付使い捨てオムツに表れるイラストを使ってストーリーを見せ、幼児とのコミュニケーションをとるきっかけとすることができる。
図４Ａ〜図４Ｇは、本発明に係る別の実施形態のイラスト付使い捨てオムツを示す。図４Ａにイラスト付使い捨てオムツの腹側を、図４Ｂにイラスト付使い捨てオムツの背側を示す。図４Ａ〜図４Ｇに示す実施形態においては、サブイラスト表示部１２ａ、１３ａ、１４ａに配置したイラスト１２、１３、１４の配置は、図３Ａ及び図３Ｂに示す形態と同様であるが、廃棄処理テープ１５がイラスト付使い捨てオムツの背側に２箇所配置されており、その位置は背側と腹側の境付近のウエスト開口部２とそれぞれのレッグ開口部３の中間である。ここで、イラスト表示部は、サブイラスト表示部１２ａ、１３ａ、１４ａを含む。
図４Ａ〜図４Ｇに示す実施形態については、まず、腹側及び背側の左右両側にあるサイドフラップ部を、折り目３６、３７に沿って背側方向に折り曲げる。図４Ｄはサイドフラップ部を折り畳んだ状態のイラスト付使い捨てオムツの腹側を示す。また、図４Ｃはこのイラスト付使い捨てオムツの平面図であり、ウエスト開口部２を示す。そして図４Ｅはこのイラスト付使い捨てオムツの側面を示す。
次に、それをさらに３つに、腹側が外側になるように折り目３８、３９に沿って折り畳んだ状態を図４Ｆ及び図４Ｇに示す。図４Ｆは折り畳んだ状態の外面を、図４Ｇは折り畳んだ状態の側面を示す。この場合にも、折り畳み後の外側両面には、折り畳み前の腹側に配置した２つのイラストがそれぞれ分断されることなく表れる。
イラスト付使い捨てオムツの腹側のサブイラスト表示部１２ａ、１３ａに配置したイラスト１２、１３は、イラスト付使い捨てオムツが折り畳まれるときに、その折り目３６、３７、３８、３９に重ならない位置に配置される。そのため、図４Ｆに示すように、折り畳んだ状態においても、イラスト１２の要部を視認できる。
図５Ａ〜図５Ｇは、本発明に係る更に別の実施形態のイラスト付使い捨てオムツを示す。図５Ａにイラスト付使い捨てオムツの腹側を、図５Ｂにイラスト付使い捨てオムツの背側を示す。図５Ａ〜図５Ｇに示す実施形態においては、腹側のサブイラスト表示部１６ａに配置したイラスト１６は１個である。また、背側のサブイラスト表示部１４ａにイラスト１４が配置されている。ここで、イラスト表示部は、サブイラスト表示部１４ａ、１６ａを含む。
折り方に関しては、まず腹側及び背側の左右両側にあるサイドフラップ部のうち、一方は折り目４０に沿って背側方向に折り曲げられ、他方は折り目４１に沿ってイラスト付使い捨てオムツの内側に向けて折り畳まれる。図５Ｄはサイドフラップ部を折り畳んだ状態のイラスト付使い捨てオムツの腹側を示す。また、図５Ｃはこのイラスト付使い捨てオムツの平面図であり、ウエスト開口部２を示す。そして図５Ｅはこのイラスト付使い捨てオムツの側面を示す。
次に、それがさらに３つに、腹側が外側になるように折り目４２、４３に沿って折り畳まれた状態を図５Ｆ及び図５Ｇに示す。図５Ｆは折り畳んだ状態の外面を、図５Ｇは折り畳んだ状態の側面を示す。この場合にも、折り畳み後の外面には、折り畳み前の腹側のサブイラスト表示部１６ａに配置したイラスト１６は分断されることなく表れる。
イラスト付使い捨てオムツの腹側のサブイラスト表示部１６ａに配置したイラスト１６は、イラスト付使い捨てオムツが折り畳まれるときに、その折り目４０、４１、４２、４３に重ならない位置に配置される。そのため、図５Ｆに示すように、折り畳んだ状態においても、イラスト１６の要部を視認できる。
図６Ａ〜図６Ｇは、本発明に係る更に別の実施形態のイラスト付使い捨てオムツを示す。図６Ａにイラスト付使い捨てオムツの腹側を、図６Ｂにイラスト付使い捨てオムツの背側を示す。図６Ａ〜図６Ｇに示す実施形態においては、腹側のサブイラスト表示部１２ａ、１３ａに配置したイラスト１２、１３は２個である。また、背側のサブイラスト表示部１４ａにイラスト１４が配置されている。ここで、イラスト表示部は、サブイラスト表示部１２ａ、１３ａ、１４ａを含む。
イラスト付使い捨てオムツの折り方に関しては、まず腹側部及び背側部の左右両側にあるサイドフラップ部を、折り目４４、４５に沿ってイラスト付使い捨てオムツの内側に向けて折り畳む。図６Ｄはサイドフラップ部を折り畳んだ状態のイラスト付使い捨てオムツの腹側を示す。また、図６Ｃはこのイラスト付使い捨てオムツの平面図であり、ウエスト開口部２を示す。そして図６Ｅはこのイラスト付使い捨てオムツの側面を示す。
次に、それがさらに２つに、腹側が外側になるように折り目４６に沿って折り畳まれた状態を図６Ｆ及び図６Ｇに示す。図６Ｆは折り畳んだ状態の外面を、図６Ｇは折り畳んだ状態の側面を示す。この場合にも、折り畳み後の外面には、折り畳み前の腹側のサブイラスト表示部に配置したイラストがそれぞれ分断されることなく表れる。
イラスト付使い捨てオムツの腹側のサブイラスト表示部１２ａ、１３ａに配置したイラスト１２、１３は、イラスト付使い捨てオムツが折り畳まれるときに、その折り目４４、４５、４６に重ならない位置に配置される。そのため、図６Ｆに示すように、折り畳んだ状態においても、イラスト１２の要部を視認できる。
図７Ａ〜図７Ｅは、本発明に係る更に別の実施形態のイラスト付使い捨てオムツを示す。図７Ａにイラスト付使い捨てオムツの腹側を、図７Ｂにイラスト付使い捨てオムツの背側を示す。図７Ａ〜図７Ｅに示す実施形態においては、腹側のサブイラスト表示部１８ａ、１９ａに配置したイラスト１８、１９は２個であるが、両者は、ウエスト開口部のあるイラスト付使い捨てオムツの辺と並行して、左右それぞれのレッグ開口のある側に分かれて並んで配置される。また、背側のサブイラスト表示部１４ａにイラスト１４が配置されている。ここで、イラスト表示部は、サブイラスト表示部１４ａ、１８ａ、１９ａを含む。
イラスト付使い捨てオムツの折り方に関しては、２つのレッグ開口部から等距離の折り目４７に沿って、２つのレッグ開口部が重なるように、そして腹側が外側になるように折り畳まれる。図７Ｄは折り目４７に沿って折り畳んだ状態のイラスト付使い捨てオムツの腹側を示す。また、図７Ｃは折り目４７に沿って折り畳んだ状態のイラスト付使い捨てオムツの平面図であり、ウエスト開口部２を示す。
さらに小型に折り畳む場合には、先の折り目に直行する方向の折り目であって、イラスト付使い捨てオムツの中央付近を通る折り目４８に沿って折り畳む。そして図７Ｅは折り目４８に沿って折り畳んだ状態のイラスト付使い捨てオムツの腹側である。折り畳み後の外側両面には、折り畳み前の腹側のサブイラスト表示部に配置した２つのイラストがそれぞれ分断されることなく表れる。
イラスト付使い捨てオムツの腹側のサブイラスト表示部１８ａ、１９ａに配置したイラスト１８、１９は、イラスト付使い捨てオムツが折り畳まれるときに、その折り目４７、４８に重ならない位置に配置される。そのため、図７Ｅに示すように、折り畳んだ状態においても、イラスト１８の要部を視認できる。
図８Ａ〜図８Ｅには、本発明に係る更に別の実施形態のイラスト付使い捨てオムツを示す。図８Ａにイラスト付使い捨てオムツの腹側を、図８Ｂにイラスト付使い捨てオムツの背側を、図８Ｄはイラスト付使い捨てオムツの側面を示す。図８Ａ〜図８Ｅに示す実施形態においては、腹側のサブイラスト表示部１２ａ、１３ａに配置したイラスト１２、１３はウエスト開口部側と股間部側の２箇所に配置されている。また、背側のサブイラスト表示部１４ａにイラスト１４が配置されている。ここで、イラスト表示部は、サブイラスト表示部１２ａ、１３ａ、１４ａを含む。
イラスト付使い捨てオムツの折り方に関しては、ウエスト開口部のあるイラスト付使い捨てオムツの開口部に並行にイラスト付使い捨てオムツの中央付近を通る折り目４９に沿って、腹側が外側になるように二つに折り畳む。図８Ｃは折り目４９に沿って折り畳んだ状態のイラスト付使い捨てオムツの腹側を示す。図８Ｅは折り目４９に沿って折り畳んだ状態のイラスト付使い捨てオムツの側面を示す。折り畳み後の外側両面には、折り畳み前の腹側のサブイラスト表示部に配置した２つのイラストがそれぞれ分断されることなく表れる。
イラスト付使い捨てオムツの腹側に配置したイラスト１２、１３は、イラスト付使い捨てオムツが折り畳まれるときに、その折り目４９に重ならない位置に配置される。そのため、図８Ｃに示すように、折り畳んだ状態においても、イラスト１２の要部を視認できる。
図９Ａ〜図９Ｈには、本発明に係る更に別の実施形態のイラスト付使い捨てオムツを示す。図９Ａにイラスト付使い捨てオムツの腹側を、図９Ｂにイラスト付使い捨てオムツの背側を示す。図９Ａ〜図９Ｈに示す実施形態においては、イラストの配置やイラスト付使い捨てオムツの折り方は図３Ａ〜図３Ｈに示されるものと同様である。ただし、腹側のサブイラスト表示部２０ａ、２１ａに配置した２つのイラスト２０、２１と、背側のサブイラスト表示部２２ａに配置したイラスト２２がそれぞれ、一つのキャラクターである草花の時間経過に伴う変化を示している点が異なる。例えば、イラスト２０は「芽が出て」、イラスト２１は「つぼみが膨らんで」、イラスト２２は「花が咲いて」いることを示している。ここで、イラスト表示部は、サブイラスト表示部２０ａ、２１ａ、２２ａを含む。
この実施形態のイラスト付使い捨てオムツが、図３Ｄ及び図３Ｅに示される形態と同様に、折り目５０、５１に沿って折り畳まれると、折り畳み後の外側両面には、折り畳み前の腹側のサブイラスト表示部２０ａ、２１ａに配置した２つのイラスト２０、２１がそれぞれ分断されることなく表れる。図９Ｄはサイドフラップ部を折り畳んだ状態のイラスト付使い捨てオムツの腹側を示す。また、図９Ｃはこのイラスト付使い捨てオムツの平面図であり、ウエスト開口部２を示す。そして図９Ｅはこのイラスト付使い捨てオムツの側面を示す。
次に、イラスト付使い捨てオムツをさらに３つに、腹側が外側になるように折り目５２、５３に沿って折り畳んだ状態を図９Ｆ〜図９Ｈに示す。図９Ｆは折り畳んだ状態の外面を、図９Ｇは折り畳んだ状態の外面を、図９Ｈは折り畳んだ状態の側面を示す。
イラスト付使い捨てオムツの腹側のサブイラスト表示部２０ａ、２１ａに配置したイラスト２０、２１は、イラスト付使い捨てオムツが折り畳まれるときに、その折り目５０、５１、５２、５３に重ならない位置に配置される。そのため、図９Ｆ及び図９Ｇに示すように、折り畳んだ状態においても、イラスト２０、２１の要部を視認できる。
この実施形態のイラスト付使い捨てオムツは折り畳んだ状態で、まず、時間的に最も前のキャラクターのイラスト２０（「芽が出て」に相当）を表すことができる。
次にイラスト付使い捨てオムツをこのまま折り畳んだ状態で裏返して、時間が経過したキャラクターのイラスト２１（「つぼみが膨らんで」）を表す。次に折り畳みを解いて、背側にある、時間が経過したキャラクターのイラスト２２（「花が咲いて」）を表すことができる。これによって、交換者は着用対象者である幼児に対してイラスト付使い捨てオムツを使った複雑なストーリーを示すことが出来る。特に、知能が発達した段階にある月齢の幼児とコミュニケーションをとるきっかけとなる。
図１０Ａ〜図１０Ｈは、本発明に係る更に別の実施形態のイラスト付使い捨てオムツを示す。図１０Ａにイラスト付使い捨てオムツの腹側を、図１０Ｂにイラスト付使い捨てオムツの背側を示す。図１０Ａ〜図１０Ｈに示す実施形態においては、イラストの配置やイラスト付使い捨てオムツの折り方は図３Ａ〜図３Ｈに示されるものと同様に折り畳まれる。腹側のサブイラスト表示部２３ａ、２４ａに配置した２つのイラスト２３、２４と、背側のサブイラスト表示部２５ａに配置したイラスト２５がそれぞれ、異なるキャラクターを含めた時間や場所の変化そして論理の展開を伴うストーリーを表したものとなっている。例えば、イラスト２３は「釣り糸を垂れる人」を、イラスト２４は「泳ぐ魚」を、イラスト２５は「魚を手にした人」を、それぞれ表している。ここで、イラスト表示部は、サブイラスト表示部２３ａ、２４ａ、２５ａを含む。
この実施形態のイラスト付使い捨てオムツが図９Ｄ及び図９Ｅに示される形態と同様に、折り目５４、５５に沿って折り畳まれると、図１０Ｆ及び図１０Ｇに示すように、折り畳み後の外側両面には、折り畳み前の腹側のサブイラスト表示部２３ａ、２４ａに配置した２つのイラスト２３、２４がそれぞれ分断されることなく表れる。図１０Ｄはサイドフラップ部を折り畳んだ状態のイラスト付使い捨てオムツの腹側を示す。また、図１０Ｃはこのイラスト付使い捨てオムツの平面図であり、ウエスト開口部２を示す。そして図１０Ｅはこのイラスト付使い捨てオムツの側面を示す。
次に、イラスト付使い捨てオムツをさらに３つに、腹側が外側になるように折り目５６、５７に沿って折り畳んだ状態を図１０Ｆ〜図１０Ｈに示す。図１０Ｆは折り畳んだ状態の外面を、図１０Ｇは折り畳んだ状態の外面を、図１０Ｈは折り畳んだ状態の側面を示す。
イラスト付使い捨てオムツの腹側のサブイラスト表示部２３ａ、２４ａに配置したイラスト２３、２４は、イラスト付使い捨てオムツが折り畳まれるときに、その折り目５４、５５、５６、５７に重ならない位置に配置される。そのため、折り畳んだ状態においても、イラスト２３、２４の要部を視認できる。ここでイラスト２３、２４の要部とは、「釣り糸を垂れる人」及び「泳ぐ魚」のことであり、「釣り糸」は要部ではない。
この実施形態のイラスト付使い捨てオムツは折り畳んだ状態で、まず、ストーリー展開の前提となるキャラクターのイラスト２３（「釣り糸を垂れる人」に相当）を表すことができる。次にイラスト付使い捨てオムツをこのまま折り畳んだ状態で裏返して、別の前提であるキャラクターのイラスト２４（「泳ぐ魚」）を表す。次に折り畳みを解いて、先に腹側にあるストーリー展開の前提の全貌（イラスト２３と２４「泳ぐ魚の上で釣り糸を垂れる人」）を表す。最後に、背側にある、ストーリーの帰結「魚を手にした人」を表すことができる。これによって、交換者は、着用対象者である幼児に対してイラスト付使い捨てオムツを使った更に複雑なストーリーを示すことが出来る。特に、知能が発達した段階にある月齢の幼児とコミュニケーションをとるきっかけとなる。
本発明のイラスト付使い捨てオムツは、折り畳まれた状態であっても、外側からイラストが明確に認知可能であることにより、イラストの美観を損ねることがない。さらに畳まれた状態のときから、イラストによる交換者と幼児のコミュニケーションのきっかけとして利用することが可能となり、交換者と幼児の相互関係も良好なものとなる。
さらに、複数のサブイラスト表示部にイラストを表示可能となること、複数のサブイラスト表示部のそれぞれに表示させるイラストによってストーリーを展開させることにより、さらに相互コミュニケーションを増やすことができる。
このことにより、イラスト付使い捨てオムツ交換前に、及び交換初期に、おもちゃ等の他の物品を用いることなく、幼児にイラスト付使い捨てオムツに興味を持たせることが出来る。さらに、交換者と幼児の関係を深めることにより、イラスト付使い捨てオムツ交換時に幼児が嫌がらず、イラスト付使い捨てオムツ交換をスムーズに、かつ楽しく実施することが出来る。
また、他の効果として、廃棄処理手段の粘着力低下等の機能低下を引き起こすことがなく、製造中の不良発生が低減できることとなる。
【図１】
2004026205.tif 000003
2004026205.tif 000004
2004026205.tif 000005
2004026205.tif 000006
2004026205.tif 000007
2004026205.tif 000008
2004026205.tif 000009
2004026205.tif 000010
2004026205.tif 000011
2004026205.tif 000012
【国際調査報告】
2004026205.tif 000013
2004026205.tif 000014
2004026205.tif 000015
2004026205.tif 000016